(57)【特許請求の範囲】
【請求項１】
決済アプリケーションと対応付けられた電子マネーサーバと通信可能に接続された総括決済サーバであって、
入金に対する所定金額の貯蓄を示す貯蓄データを記憶する貯蓄データ記憶手段と、
決済要求に対して前記電子マネーサーバにアクセスして端末が支払いを実行する際に、当該電子マネーサーバの貯蓄残高が決済の支払金額に達しない場合、当該電子マネーサーバから残高不足の通知を受ける残高不足通知手段と、
受信した前記残高不足通知に対して、記憶された前記貯蓄データから、不足分に対応した所定金額を前記電子マネーサーバに送金する送金手段と、
前記電子マネーサーバにアクセスし、当該電子マネーサーバの貯蓄残高が所定の金額以下である場合、アラート通知を生成するアラート通知生成手段と、
前記端末に前記生成したアラート通知を送信するアラート通知送信手段と、を備え、
前記送金手段は、前記端末から、アラート通知に対する返答として、送金要求を取得した場合、当該送金要求が行われた所定金額に対しての不足分を、前記電子マネーサーバに送金することを特徴とする総括決済サーバ。
【請求項２】
前記送金手段が、受信した前記残高不足の通知に対して、記憶された前記貯蓄データから、不足分に対応した所定金額を前記電子マネーサーバに送金する際に、前記貯蓄データ記憶手段に記憶された金額が、不足分に達しない場合には、他の電子マネーサーバにアクセスし、不足分を取得し、送金を実行することを特徴とする請求項１に記載の総括決済サーバ。
【請求項３】
前記送金手段が、前記電子マネーサーバにアクセスし、当該電子マネーサーバの貯蓄残高が所定の金額以下である場合、前記他の電子マネーサーバにアクセスし、当該所定の金額の不足分に対応した所定金額を取得し、送金を実行することを特徴とする請求項１又は２のいずれか一項に記載の総括決済サーバ。
【請求項４】
決済アプリケーションと対応付けられた電子マネーサーバと通信可能に接続された総括決済サーバが実行する電子決済方法であって、
入金に対する所定金額の貯蓄を示す貯蓄データを記憶するステップと、
決済要求に対して前記電子マネーサーバにアクセスして端末が支払いを実行する際に、当該電子マネーサーバの貯蓄残高が決済の支払金額に達しない場合、当該電子マネーサーバから残高不足の通知を受けるステップと、
受信した前記残高不足通知に対して、記憶された前記貯蓄データから、不足分に対応した所定金額を前記電子マネーサーバに送金するステップと、
前記電子マネーサーバにアクセスし、当該電子マネーサーバの貯蓄残高が所定の金額以下である場合、アラート通知を生成するステップと、
前記端末に前記生成したアラート通知を送信するステップと、
前記端末から、アラート通知に対する返答として、送金要求を取得した場合、当該送金要求が行われた所定金額に対しての不足分を、前記電子マネーサーバに送金するステップと、
を備えることを特徴とする総括決済方法。
【請求項５】
決済アプリケーションと対応付けられた電子マネーサーバと通信可能に接続された総括決済サーバに、
入金に対する所定金額の貯蓄を示す貯蓄データを記憶するステップ、
決済要求に対して前記電子マネーサーバにアクセスして端末が支払いを実行する際に、当該電子マネーサーバの貯蓄残高が決済の支払金額に達しない場合、当該電子マネーサーバから残高不足の通知を受けるステップ、
受信した前記残高不足通知に対して、記憶された前記貯蓄データから、不足分に対応した所定金額を前記電子マネーサーバに送金するステップ、
前記電子マネーサーバにアクセスし、当該電子マネーサーバの貯蓄残高が所定の金額以下である場合、アラート通知を生成するステップ、
前記端末に前記生成したアラート通知を送信するステップ、
前記端末から、アラート通知に対する返答として、送金要求を取得した場合、当該送金要求が行われた所定金額に対しての不足分を、前記電子マネーサーバに送金するステップ、
を実行させるためのコンピュータ読み取り可能な総括決済サーバ用プログラム。
【発明の詳細な説明】
【技術分野】
【０００１】
本発明は、電子決済を実行する総括決済サーバ、総括決済方法及び総括決済サーバ用プログラムに関する。
【背景技術】
【０００２】
従来、ネットワークを介して、端末からサーバにアクセスし、電子決済を可能とする電子決済システムが知られている。このような電子決済システムでは、ユーザは、電子決済に際して、電子決済の対象となるアプリケーションを起動し、電子決済を実行する。例えば、決済の対象となる電子マネー毎にアプリケーションを携帯端末にインストールしておき、ユーザは、このアプリケーションを操作することにより、決済処理やチャージ処理等を実行することが可能である
（例えば、被特許文献１参照）。
【０００３】
このような電子決済において、ユーザは、現金を持ち歩かずとも所望の商品やサービスを受けることが可能となるため、ユーザの利便性が向上する。
【先行技術文献】
【特許文献】
【０００４】
【非特許文献１】ｈｔｔｐ：／／ｗｗｗ．ｓｏｎｙ．ｃｏ．ｊｐ／Ｐｒｏｄｕｃｔｓ／ｆｅｌｉｃａ／ｃｏｎｓｕｍｅｒ／ｄｏｗｎｌｏａｄ／
【発明の概要】
【発明が解決しようとする課題】
【０００５】
しかしながら、上述の電子決済システムにおいて、ユーザは、電子マネー毎に残高を把握する必要があるため、アプリケーションを起動し、残高を確認する必要や、電子決済の完了の度に、残高に気を配る必要があった。また、仮に、電子マネーによる電子決済を行う際、残高不足であった場合、所望の商品の購入やサービスの提供をすぐには受けられず、電子マネーを新たにチャージし直す必要があった。
【０００６】
本発明は、上述した課題に鑑み、ユーザが電子マネー毎の残高の確認を行わずとも、残高不足が発生することを防止し、ユーザの利便性を向上させた総括決済サーバ、総括決済方法及び総括決済サーバ用プログラムを提供することを目的とする。
【課題を解決するための手段】
【０００７】
本発明では、以下のような解決手段を提供する。
【０００８】
第１の特徴に係る発明は決済アプリケーションと対応付けられた電子マネーサーバと通信可能に接続された総括決済サーバであって、
入金に対する所定金額の貯蓄を示す貯蓄データを記憶する貯蓄データ記憶手段と、
決済要求に対して前記電子マネーサーバにアクセスして端末が支払いを実行する際に、当該電子マネーサーバの貯蓄残高が決済の支払金額に達しない場合、当該電子マネーサーバから残高不足の通知を受ける残高不足通知手段と、
受信した前記残高不足通知に対して、記憶された前記貯蓄データから、不足分に対応した所定金額を前記電子マネーサーバに送金する送金手段と、
前記電子マネーサーバにアクセスし、当該電子マネーサーバの貯蓄残高が所定の金額以下である場合、アラート通知を生成するアラート通知生成手段と、
前記端末に前記生成したアラート通知を送信するアラート通知送信手段と、を備え、
前記送金手段は、前記端末から、アラート通知に対する返答として、送金要求を取得した場合、当該送金要求が行われた所定金額に対しての不足分を、前記電子マネーサーバに送金する総括決済サーバを提供する。
【０００９】
第１の特徴に係る発明によれば、決済アプリケーションと対応付けられた電子マネーサーバと通信可能に接続された総括決済サーバであって、入金に対する所定金額の貯蓄を示す貯蓄データを記憶し、決済要求に対して前記電子マネーサーバにアクセスして端末が支払いを実行する際に、当該電子マネーサーバの貯蓄残高が決済の支払金額に達しない場合、当該電子マネーサーバから残高不足の通知を受け、受信した前記残高不足通知に対して、記憶された前記貯蓄データから、不足分に対応した所定金額を前記電子マネーサーバに送金し、前記電子マネーサーバにアクセスし、当該電子マネーサーバの貯蓄残高が所定の金額以下である場合、アラート通知を生成し、前記端末に前記生成したアラート通知を送信し、前記送金手段は、前記端末から、アラート通知に対する返答として、送金要求を取得した場合、当該送金要求が行われた所定金額に対しての不足分を、前記電子マネーサーバに送金する。
【００１０】
ここで、第１の特徴に係る発明は、総括決済サーバの発明であるが、総括決済方法及び総括決済サーバ用プログラムのカテゴリにおいても、同様の作用・効果を発揮する。
【００１１】
第２の特徴に係る発明は、前記送金手段が、受信した前記残高不足の通知に対して、記憶された前記貯蓄データから、不足分に対応した所定金額を前記電子マネーサーバに送金する際に、前記貯蓄データ記憶手段に記憶された金額が、不足分に達しない場合には、他の電子マネーサーバにアクセスし、不足分を取得し、送金を実行することを特徴とする第１の特徴に係る発明である総括決済サーバを提供する。
【００１２】
第２の特徴に係る発明によれば、第１の特徴に係る発明である総括決済サーバは、受信した前記残高不足の通知に対して、記憶された前記貯蓄データから、不足分に対応した所定金額を前記電子マネーサーバに送金する際に、前記貯蓄データ記憶手段に記憶された金額が、不足分に達しない場合には、他の電子マネーサーバにアクセスし、不足分を取得し、送金を実行する。
【００１５】
第３の特徴に係る発明は、前記送金手段が、前記電子マネーサーバにアクセスし、当該電子マネーサーバの貯蓄残高が所定の金額以下である場合、前記他の電子マネーサーバにアクセスし、当該所定の金額の不足分に対応した所定金額を取得し、送金を実行することを特徴とする第１又は第２のいずれかの特徴に係る発明である総括決済サーバを提供する。
【００１６】
第３の特徴に係る発明によれば、第１又は第２のいずれかの特徴に係る発明である総括決済サーバは、前記電子マネーサーバにアクセスし、当該電子マネーサーバの貯蓄残高が所定の金額以下である場合、前記他の電子マネーサーバにアクセスし、当該所定の金額の不足分に対応した所定金額を取得し、送金を実行する。
【００１７】
第４の特徴に係る発明は、決済アプリケーションと対応付けられた電子マネーサーバと通信可能に接続された総括決済サーバが実行する電子決済方法であって、
入金に対する所定金額の貯蓄を示す貯蓄データを記憶するステップと、
決済要求に対して前記電子マネーサーバにアクセスして端末が支払いを実行する際に、当該電子マネーサーバの貯蓄残高が決済の支払金額に達しない場合、当該電子マネーサーバから残高不足の通知を受けるステップと、
受信した前記残高不足通知に対して、記憶された前記貯蓄データから、不足分に対応した所定金額を前記電子マネーサーバに送金するステップと、
前記電子マネーサーバにアクセスし、当該電子マネーサーバの貯蓄残高が所定の金額以下である場合、アラート通知を生成するステップと、
前記端末に前記生成したアラート通知を送信するステップと、
前記端末から、アラート通知に対する返答として、送金要求を取得した場合、当該送金要求が行われた所定金額に対しての不足分を、前記電子マネーサーバに送金するステップと、
を備えることを特徴とする総括決済方法を提供する。
【００１８】
第５の特徴に係る発明は、決済アプリケーションと対応付けられた電子マネーサーバと通信可能に接続された総括決済サーバに、
入金に対する所定金額の貯蓄を示す貯蓄データを記憶するステップ、
決済要求に対して前記電子マネーサーバにアクセスして端末が支払いを実行する際に、当該電子マネーサーバの貯蓄残高が決済の支払金額に達しない場合、当該電子マネーサーバから残高不足の通知を受けるステップ、
受信した前記残高不足通知に対して、記憶された前記貯蓄データから、不足分に対応した所定金額を前記電子マネーサーバに送金するステップ、
前記電子マネーサーバにアクセスし、当該電子マネーサーバの貯蓄残高が所定の金額以下である場合、アラート通知を生成するステップ、
前記端末に前記生成したアラート通知を送信するステップ、
前記端末から、アラート通知に対する返答として、送金要求を取得した場合、当該送金要求が行われた所定金額に対しての不足分を、前記電子マネーサーバに送金するステップ、
を実行させるためのコンピュータ読み取り可能な総括決済サーバ用プログラムを提供する。
【発明の効果】
【００１９】
本発明によれば、ユーザが電子マネー毎の残高の確認を行わずとも、残高不足が発生することを防止し、ユーザの利便性を向上させた総括決済サーバ、総括決済方法及び総括決済サーバ用プログラムを提供することが可能となる。
【図面の簡単な説明】
【００２０】
【図１】図１は、総括決済システム１の概要を説明するための概念図である。
【図２】図２は、総括決済システム１の概念を説明するための概念図である。
【図３】図３は、総括決済システム１の全体構成図である。
【図４】図４は、総括決済サーバ１０、第一電子マネーサーバ５０、第二電子マネーサーバ６０及び携帯端末１００の機能ブロック図である。
【図５】図５は、総括決済サーバ１０、第一電子マネーサーバ５０、第二電子マネーサーバ６０及び携帯端末１００が実行する総括決済処理のフローチャートである。
【図６】図６は、総括決済サーバ１０、第一電子マネーサーバ５０及び携帯端末１０が実行するアラート処理のフローチャートである。
【図７】図７は、総括決済サーバ１０、第一電子マネーサーバ５０及び携帯端末１０が実行するポイント交換処理のフローチャートである。
【図８】図８は、携帯端末１００が表示する支払画面を示す図である。
【図９】図９は、携帯端末１００が表示するアラート通知画面を示す図である。
【図１０】図１０は、携帯端末１００が表示するポイント交換通知画面を示す図である。
【発明を実施するための形態】
【００２１】
以下、本発明を実施するための最良の形態について図を参照しながら説明する。なお、これはあくまでも一例であって、本発明の技術的範囲はこれに限られるものではない。
【００２２】
本発明の概要は、決済アプリケーションと対応付けられた電子マネーサーバと通信可能に接続された総括決済サーバは、入金に対する所定金額の貯蓄を示す貯蓄データを記憶し、決済要求に対して電子マネーサーバにアクセスして端末が支払いを実行する際に、当該電子マネーサーバの貯蓄残高が決済の支払金額に達しない場合、当該電子マネーサーバから残高不足の通知を受け、受信した前記残高不足通知に対して、記憶された前記貯蓄データから、不足分に対応した所定金額を前記電子マネーサーバに送金する。また、総括決済サーバは、受信した前記残高不足の通知に対して、記憶された前記貯蓄データから、不足分に対応した所定金額を前記電子マネーサーバに送金する際に、前記貯蓄データ記憶手段に記憶された金額が、不足分に達しない場合には、他の電子マネーサーバにアクセスし、不足分を取得し、送金を実行する。
【００２３】
［総括決済システムの概要］
図１に基づいて、本発明の好適な実施形態である総括決済システム１の概要について説明する。図１は、総括決済サーバ１０の貯蓄データが、第一電子マネーサーバ５０から送信された決済要求を超えている場合の概念図である。
【００２４】
最初に、携帯端末１００は、電子決済に使用する電子マネーに対応するアプリケーションを起動する。携帯端末１００は、第一電子マネーサーバ５０に決済要求を送信する（ステップＳ０１）。
【００２５】
第一電子マネーサーバ５０は、受信した決済要求と、自身が記憶する貯蓄残高とを参照し、今回の決済要求の金額と貯蓄残高の金額とを比較する。第一電子マネーサーバ５０は、今回の決済要求の金額が貯蓄残高の金額以下である場合、決済要求に従って、決済処理を実行する。一方、第一電子マネーサーバ５０は、今回の決済要求の金額が貯蓄残高の金額よりも大きい金額である場合、総括決済サーバ１０に残高不足通知を送信する（ステップＳ０２）。
【００２６】
総括決済サーバ１０は、自身が記憶する貯蓄データから受信した残高不足通知の不足分を第一電子マネーサーバ５０に送金する（ステップＳ０３）。
【００２７】
第一電子マネーサーバ５０は、送金された不足分と、自身の貯蓄残高とに基づいて、決済処理を実行する。次に、決済が完了した旨を示す決済完了通知を携帯端末１００に送信する（ステップＳ０４）。携帯端末１００は、受信した決済完了通知を表示する。以上が、本発明の好適な実施形態である総括決済システム１の概要である。
【００２８】
また、図２に基づいて、本発明の別の好適な実施形態である総括決済システム１の概要について説明する。図２は、総括決済サーバ１０の貯蓄データが、第一電子マネーサーバ５０から送信された決済要求未満である場合の概念図である。
【００２９】
最初に、携帯端末１００は、電子決済に使用する電子マネーに対応するアプリケーションを起動する。携帯端末１００は、第一電子マネーサーバ５０に決済要求を送信する（ステップＳ１０）。
【００３０】
第一電子マネーサーバ５０は、受信した決済要求と、自身が記憶する貯蓄残高とを参照し、今回の決済要求の金額と貯蓄残高の金額とを比較する。第一電子マネーサーバ５０は、今回の決済要求の金額が貯蓄残高の金額以下である場合、決済要求に従って、決済処理を実行する。一方、第一電子マネーサーバ５０は、今回の決済要求の金額が貯蓄残高の金額よりも大きい金額である場合、総括決済サーバ１０に残高不足通知を送信する（ステップＳ１１）。
【００３１】
総括決済サーバ１０は、受信した残高不足通知の不足分の金額と、自身が記憶する貯蓄データの残高とを比較する。総括決済サーバ１０は、自身が記憶する貯蓄データが、今回受信した不足分の金額以上である場合、自身が記憶する貯蓄データから受信した残高不足通知の不足分を第一電子マネーサーバ５０に送金する。一方、総括決済サーバ１０は、自身が記憶する貯蓄データが、今回受信した不足分の金額よりも少ない金額である場合、この不足分の金額に達しない分の金額を貯蓄残高不足額として貯蓄残高不足通知を、第二電子マネーサーバ６０に送信する（ステップＳ１２）
【００３２】
第二電子マネーサーバ６０は、受信した貯蓄残高不足通知の残高不足額分の金額を、総括決済サーバ１０に送金する（ステップＳ１３）。
【００３３】
総括決済サーバ１０は、第二電子マネーサーバ６０から送金を受け付け、自身が記憶する貯蓄データを更新する。次に、第一電子マネーササーバ５０に受信した残高不足通知の不足分の金額を送金する（ステップＳ１４）。
【００３４】
第一電子マネーサーバ５０は、送金された不足分と、自身の貯蓄残高とに基づいて、決済処理を実行する。次に、決済が完了した旨を示す決済完了通知を携帯端末１００に送信する（ステップＳ１５）。携帯端末１００は、受信した決済完了通知を表示する。以上が、本発明の別の好適な実施形態である総括決済システム１の概要である。
【００３５】
［総括決済システム］
図３は、総括決済システム１のシステム構成を示す図である。総括決済サーバ１０、第一電子マネーサーバ５０、第二電子マネーサーバ６０及び携帯端末１００と、インターネット網等の公衆回線網３とから構成される。総括決済サーバ１０と、第一電子マネーサーバ５０と、第二電子マネーサーバ６０と、携帯端末１０とは、公衆回線網３を介して通信可能に接続されている。なお、総括決済サーバ１０は、ローカルエリアネットワークにより、第一電子マネーサーバ５０、第二電子マネーサーバ６０及び携帯端末１０と通信可能に接続されていても良い。さらに、ローカルエリアネットワークが公衆回線網３と通信可能に接続され、総括決済サーバ１０と、第一電子マネーサーバ５０と第二電子マネーサーバ６０と通信可能に接続されていても良い。また、携帯端末１００と、第一電子マネーサーバ５０と第二電子マネーサーバ６０とが通信可能に接続されていても良い。
【００３６】
総括決済サーバ１０は、ソフトウェア的又はハードウェア的な設定により、後述する機能を備える情報機器である。例えば、総括決済サーバ１０は、サーバ、パソコン、携帯電話、スマートフォン、スレート端末、表示機能付き電話機、ネットブック端末、電子書籍端末等の一般的な情報機器であって良い。
【００３７】
また、携帯端末１００は、ソフトウェア的又はハードウェア的な設定により、後述する機能を備える情報機器である。例えば、携帯端末１００は、パソコン、携帯電話、スマートフォン、スレート端末、表示機能付き電話機、ネットブック端末、電子書籍端末等の一般的な情報機器であって良い。
【００３８】
また、第一電子マネーサーバ５０と、第二電子マネーサーバ６０とは、電子マネーの決済に利用される一般的なサーバやクラウド型のサーバであって良い。
【００３９】
［各機能の説明］
図４に基づいて、各装置の構成について説明する。総括決済サーバ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、第一電子マネーサーバ５０及び第二電子マネーサーバ６０と通信可能にするためのデバイス、例えば、ＩＥＥＥ８０２．１１に準拠したＷｉ−Ｆｉ（Ｗｉｒｅｌｅｓｓ  Ｆｉｄｅｌｉｔｙ）対応デバイスを備える。加えて、総括決済サーバ１０は、データやファイルを記憶する記憶部１３として、ハードディスクや半導体メモリ、記録媒体、メモリカード等による、データのストレージ部を備える。記憶部１３は、後述する貯蓄データを記憶する。
【００４０】
総括決済サーバ１０において、制御部１１が所定のプログラムを読み込むことで、通信部１２と協働して、残高不足通知受信モジュール２０、送金モジュール２１、不足額要求モジュール２２及びアラート通知モジュール２３を実現する。また、総括決済サーバ１０は、制御部１１が所定のプログラムを読み込むことで、記憶部１３と協働して、貯蓄データ記憶モジュール３０及び不足額算出モジュール３１を実現する。
【００４１】
携帯端末１００は、総括決済サーバ１０と同様に、制御部１１０として、ＣＰＵ、ＲＡＭ、ＲＯＭ等を備え、通信部１２０として、第一電子マネーサーバ５０と第二電子マネーサーバ６０と通信可能にするためのデバイス、例えば、ＩＥＥＥ８０２．１１に準拠したＷｉ−Ｆｉ対応デバイスを備える。また、携帯端末１００は、表示部として、制御部１１０で制御したデータや画像、例えば、支払画面（図８参照）、アラート通知画面（図９参照）及びポイント交換通知画面（図１０参照）を出力表示するとともに、ユーザの操作を受け付ける入出力部１３０を備える。ユーザ端末１００は、入出力部１３０として、通常のモニタ、タッチパネル、通常のキーボード又はマウス等を備えている。
【００４２】
携帯端末１００において、制御部１１０が所定のプログラムを読み込むことで、通信部１２０と協働して、アプリケーションモジュール２００を実現する。また、制御部１１０が所定のプログラムを読み込むことで、入出力部１３０と協働して、通知表示モジュール３００を実現する。
【００４３】
第一電子マネーサーバ５０は、総括決済サーバ１０と同様に、制御部５１として、ＣＰＵ、ＲＡＭ、ＲＯＭ等を備え、通信部５２として、総括決済サーバ１０と携帯端末１００と通信可能にするためのデバイス、例えば、ＩＥＥＥ８０２．１１に準拠したＷｉ−Ｆｉ対応デバイスを備える。また、データやファイルを記憶する記憶部５３として、ハードディスクや半導体メモリ、記録媒体、メモリカード等による、データのストレージ部を備える。また、記憶部１３は、後述する第一貯蓄残高を記憶する。
【００４４】
第一電子マネーサーバ５０は、制御部５１が所定のプログラムを読み込むことで、通信部５２と協働して、残高不足通知モジュール４００、送金受付モジュール４１０、決済受付モジュール４２０及び決済実行モジュール４３０を実現する。また、制御部５１が所定のプログラムを読み込むことで、記憶部５３と協働して、決済判断モジュール５００及び第一貯蓄残高記憶モジュール５１０を実現する。
【００４５】
第二電子マネーサーバ６０は、総括決済サーバ１０と同様に、制御部６１として、ＣＰＵ、ＲＡＭ、ＲＯＭ等を備え、通信部６２として、総括決済サーバ１０と携帯端末１００と通信可能にするためのデバイス、例えば、ＩＥＥＥ８０２．１１に準拠したＷｉ−Ｆｉ対応デバイスを備える。また、データやファイルを記憶する記憶部６３として、ハードディスクや半導体メモリ、記録媒体、メモリカード等による、データのストレージ部を備える。また、記憶部１３は、後述する第二貯蓄残高を記憶する。
【００４６】
第二電子マネーサーバ６０は、制御部６１が所定のプログラムを読み込むことで、通信部６２と協働して、不足額送金要求受付モジュール６００及び不足額送金モジュール６１０を実現する。また、制御部６１が所定のプログラムを読み込むことで、記憶部６３と協働して、第二貯蓄残高記憶モジュール７００を実現する。なお、第二電子マネーサーバ６０は、第一電子マネーサーバ５０と同様の機能を有し、携帯端末１００からの決済要求を受け付けることが可能である。本実施形態において、上述した第一電子マネーサーバ５０と第二電子マネーサーバ６０とは、各モジュールを入れ替えたとしても、実現可能であることは言うまでもない。
【００４７】
［総括決済処理］
図５は、総括決済サーバ１０、第一電子マネーサーバ５０、第二電子マネーサーバ６０及び携帯端末１００が実行する総括決済処理のフローチャートである。携帯端末１００のアプリケーションモジュール２００は、所定のカードリーダによる決済や、マルチメディア端末による決済を行うために、決済アプリケーションを起動する（ステップＳ２０）。この決済アプリケーションは、決済を行う電子マネーに対応するアプリケーションである。なお、携帯端末１００は、決済を行う電子マネー毎に決済アプリケーションをインストールしてあっても良いし、複数の電子マネーに対応する決済アプリケーションをインストールしてあっても良い。
【００４８】
アプリケーションモジュール２００は、決済を行う電子マネーに対応する電子マネーサーバである第一電子マネーサーバ５０に決済要求を送信する（ステップＳ２１）。
【００４９】
第一電子マネーサーバ５０の決済受付モジュール４２０は、携帯端末１００からの決済要求を受け付ける。第一電子マネーサーバ５０の決済判断モジュール５００は、受け付けた決済要求の金額と、第一貯蓄残高記憶モジュール５１０が記憶する第一貯蓄残高の金額とを比較する。ここで、決済判断モジュール５００は、第一貯蓄残高記憶モジュール５１０が記憶する第一貯蓄残高の金額を確認する（ステップＳ２２）。次に、決済判断モジュール５００は、決済要求の金額に対して、第一貯蓄残高の金額が支払額に達しているか否かを判断する（ステップＳ２３）。ステップＳ２３において、決済判断モジュール５００は、第一貯蓄残高の金額が支払額に達していると判断した場合（ステップＳ２３  ＮＯ）、第一電子マネーサーバ５０の決済実行モジュール４３０は、決済要求に従って決済を実行する（ステップＳ２９）。またステップＳ２３において、決済判断モジュール５００は、第一貯蓄残高の金額が支払額に達していないと判断した場合（ステップＳ２３  ＹＥＳ）、第一電子マネーサーバ５０の残高不足通知モジュール４００は、総括決済サーバ１０に、第一貯蓄残高が決済要求に対して不足している不足額を残高不足通知として送信する（ステップＳ２４）。
【００５０】
総括決済サーバ１０の残高不足通知受信モジュール２０は、第一電子マネーサーバ５０から送信された残高不足通知を受信する。総括決済サーバ１０の不足額算出モジュール３１は、受信した残高不足通知に含まれる不足額が、貯蓄データ記憶モジュール３０が記憶する貯蓄額に達しているか否かを判断する（ステップＳ２５）。ステップＳ２５において、不足額算出モジュール３１は、不足額が、貯蓄額に達していないと判断した場合（ステップＳ２５  ＮＯ）、総括決済サーバ１０の送金モジュール２１は、貯蓄データ記憶モジュール３０が記憶する貯蓄額から、この不足額分を送金する（ステップＳ２８）。このとき、貯蓄データ記憶モジュール３０は、記憶している貯蓄額から、送金された不足額分の金額を減算する。また、ステップＳ２５において、不足額算出モジュール３１は、不足額が、貯蓄額に達していると判断した場合（ステップＳ２５  ＹＥＳ）、総括決済サーバ１０の不足額要求モジュール２２は、不足額のうち、貯蓄データ記憶手段に記憶する貯蓄額を超過した金額を不足額として通知する不足額通知を第二電子マネーサーバ６０に送信する（ステップＳ２６）。なお、本実施形態における貯蓄額とは、貯蓄データを意味する。
【００５１】
第二電子マネーサーバ６０の不足額送金要求受付モジュール６００は、総括決済サーバ１０から送信された不足額通知を受け付ける。第二電子マネーサーバ６０の不足額送金モジュール６１０は、不足額通知で通知された不足額分を、第二貯蓄残高記憶モジュール７００に記憶する貯蓄残高から減算する。不足額送金モジュール６１０は、この不足額分を総括決済サーバ１０に送金する（ステップＳ２７）。
【００５２】
総括決済サーバ１０の不足額要求モジュール２２は、第二電子マネーサーバ６０から送信された不足額分を受け付ける。総括決済サーバ１０の送金モジュール２１は、受け付けた不足額分と、貯蓄データ記憶モジュール３０が記憶する貯蓄額とを合算する。そして、合算した貯蓄額から、第一電子マネーサーバ５０から受け付けた残高不足額分の金額を減算し、この残高不足学分の金額を第一電子マネーサーバ５０に送金する（ステップＳ２８）。
【００５３】
第一電子マネーサーバ５０の送金受付モジュール４１０は、総括決済サーバ１０から送金された金額を受け付ける。第一電子マネーサーバ５０の決済実行モジュール４３０は、総括決済サーバ１０から送金された金額と、第一貯蓄残高記憶モジュール５１０が記憶する第一残高の金額とを合算し、決済処理を実行する（ステップＳ２９）。ステップＳ２９において、決済実行モジュール４３０は、携帯端末１００から送信された決済要求の金額を、第一貯蓄残高記憶モジュール５１０が記憶する第一残高から減算する。
【００５４】
次に、第一電子マネーサーバ５０の決済受付モジュール４２０は、決済完了通知を生成し、携帯端末１０にこの決済完了通知を送信する（ステップＳ３０）。
【００５５】
携帯端末１００のアプリケーションモジュール２００は、第一電子マネーサーバ５０から送信された決済完了通知を受信する。携帯端末１００の通知表示モジュール３００は、図８に示す支払画面を入出力部１３０に表示する（ステップＳ３１）。以上が、総括決済サーバ１０、第一電子マネーサーバ５０、第二電子マネーサーバ６０及び携帯端末１００が実行する総括決済処理である。
【００５６】
なお、本実施形態において、携帯端末１００は、第一電子マネーサーバ５０に対して、決済要求を送信したが、携帯端末１００は、第二電子マネーサーバ６０に対して送信しても良い。この場合、上述した実施形態における第一電子マネーサーバ５０が実行する各処理を、第二電子マネーサーバ６０が実行し、第二電子マネーサーバ６０が実行する各処理を第一電子マネーサーバ５０が実行すれば良い。
【００５７】
また、各処理を実行する電子マネーサーバは上述した実施形態の数に限られず、第三電子マネーサーバ、第四電子マネーサーバ、又はそれ以上数の電子マネーサーバであっても良い。この場合、第一電子マネーサーバ５０又は第二電子マネーサーバ６０において、貯蓄残高が不足する場合、第三電子マネーサーバが、貯蓄残高の不足する電子マネーサーバに対して不足額分の金額を送金するようにすれば良い。また、第一電子マネーサーバ５０の貯蓄残高が不足し、かつ第二電子マネーサーバ５０の貯蓄額も不足している場合には、第二電子マネーサーバの貯蓄額に加えて、第三電子マネーサーバの貯蓄額から送金し、第一電子マネーサーバ５０が決済処理を実行できるようにしても良い。この処理は、電子マネーサーバの数が増えた場合であっても同様にしても良い。また、複数の電子マネーサーバのうち、最も貯蓄額が多い電子マネーサーバを選択し、この電子マネーサーバから決済要求が行われた電子マネーサーバに対して送金するようにしても良い。
【００５８】
［アラート処理］
次に、図６に基づいて、総括決済サーバ１０、第一電子マネーサーバ５０及び携帯端末１００が実行するアラート処理について説明する。
【００５９】
図６は、総括決済サーバ１０、第一電子マネーサーバ５０及び携帯端末１００が実行するアラート処理を示すフローチャートである。このアラート処理は、任意のタイミングで実行されても良いし、特定のタイミングで実行されても良い。具体的には、携帯端末１００において、電子決済を行うタイミング以外での、決済アプリケーションが起動したことを契機として実行されても良いし、所定日時毎、所定期間毎において実行されても良い。
【００６０】
総括決済サーバ１０のアラート通知モジュール２３は、第一電子マネーサーバ５０に第一貯蓄残高の取得要求を送信する（ステップＳ４０）。
【００６１】
第一電子マネーサーバ５０の送金受付モジュール４１０は、総括決済サーバ１０から送信された第一貯蓄残高の取得要求を受信する。送金受付モジュール４１０は、第一電子マネーサーバ５０の第一貯蓄残高記憶モジュール５１０が記憶する第一貯蓄残高を総括決済サーバ１０に送信する（ステップＳ４１）。
【００６２】
総括決済サーバ１０のアラート通知モジュール２３は、第一電子マネーサーバ５０から第一貯蓄残高を受信する。総括決済サーバ１０の不足額算出モジュール３１は、受信した第一貯蓄残高が所定の金額に達しているか否かを判断する（ステップＳ４２）。ステップＳ４２において、不足額算出モジュール３１は、受信した第一貯蓄残高が所定の金額に達していると判断した場合（ステップＳ４２  ＹＥＳ）、本処理を終了する。ステップＳ４２において、不足額算出モジュール３１は、受信した第一貯蓄残高が所定の金額に達していないと判断した場合（ステップＳ４２  ＮＯ）、アラート通知モジュール２３は、第一貯蓄残高が所定の金額よりも低くなっていることを警告するアラート通知を生成し、携帯端末１００に送信する（ステップＳ４３）。
【００６３】
携帯端末１００のアプリケーションモジュール２００は、総括決済サーバ１０から送信されたアラート通知を受信する。携帯端末１００の通知表示モジュール３００は、受信したアラート通知を、図９に示すアラート通知画面として、入出力部１３０に表示する（ステップＳ４４）。通知表示モジュール３００は、アラート通知画面に、ユーザからの操作入力を受け付ける送金許可アイコン５４及び送金不許可アイコン５５を表示する。
【００６４】
次に、アプリケーションモジュール２００は、送金許可アイコン５４の操作が行われた否かを判断する（ステップ４５）。ステップＳ４５において、アプリケーションモジュール２００は、送金不許可アイコン５５の操作を受け付けた場合又は所定の時間内に操作が行われなかった場合、送金処理が行われなかったと判断し（ステップＳ４５  ＮＯ）、本処理を終了する。ステップＳ４５において、アプリケーションモジュール２００は、送金許可アイコン５４の操作を受け付けたと判断した場合（ステップＳ４５  ＹＥＳ）、総括決済サーバ１０に送金要求を送信する（ステップＳ４６）。
【００６５】
総括決済サーバ１０の送金モジュール２１は、貯蓄データ記憶モジュール３０が記憶する貯蓄額のうち、送金要求が行われた所定金額に対しての不足額を第一電子マネーサーバ５０に送金する（ステップＳ４７）。ステップＳ４７において、貯蓄データ記憶モジュール３０は、送金した不足額を、記憶する貯蓄額から減算する。なお、ステップＳ４７において総括決済サーバ１０の送金モジュール２１が送金する金額は、アラート通知第一電子マネーサーバ５０が記憶する第一残高とアラート通知画面に表示した所定金額との差額である。また、携帯端末１００の通知表示モジュール３００は、アラート通知画面に送金する金額を指定する画面を表示しても良い。この場合、指定された金額を総括決済サーバ１０は、第一電子マネーサーバ５０に送金すれば良い。
【００６６】
第一電子マネーサーバ５０の送金受付モジュール４１０は、総括決済サーバ１０から送金された不足額を受信する。送金受付モジュール４１０は、第一電子マネーサーバ５０の第一貯蓄残高記憶モジュール５１０が記憶する第一貯蓄残高に、受信した不足額を合算し、第一貯蓄残高の金額を更新する（ステップＳ４８）。以上が、総括決済サーバ１０、第一電子マネーサーバ５０及び携帯端末１００が実行するアラート処理である。
【００６７】
なお、上述したアラート処理は、第一電子マネーサーバ５０に対してのみでなく、第二電子マネーサーバ６０に対して実行しても良い。また、第三電子マネーサーバ、第四電子マネーサーバ等の複数の電子マネーサーバを追加した場合、追加した電子マネーサーバに対しても実行しても良い。
【００６８】
また、上述した実施形態では、総括決済サーバ１０の貯蓄額から不足額分の金額の送金処理を実行したが、第二電子マネーサーバ６０の第二貯蓄残高から第一電子マネーサーバ５０に送金しても良い。また、第三電子マネーサーバ、第四電子マネーサーバ等を追加した場合、追加した電子マネーサーバから第一電子マネーサーバ５０又は第二電子マネーサーバ６０に送金しても良い。また、複数の電子マネーサーバのうち、最も貯蓄残高が高いものから最も貯蓄残高が低い電子マネーサーバに対して送金しても良い。
【００６９】
また、アラート処理に際して、携帯端末１００において送金要求する金額を指定し、総括決済サーバ１０は、指定された金額を、対象とする電子マネーサーバに送金しても良い。
【００７０】
［ポイント通知処理］
次に、図７に基づいて、総括決済サーバ１０、第一電子マネーサーバ５０及び携帯端末１００が実行するポイント通知処理について説明する。
【００７１】
図７は、総括決済サーバ１０、第一電子マネーサーバ５０及び携帯端末１００が実行するポイント通知処理を示すフローチャートである。このポイント通知処処理は、任意のタイミングで実行されても良いし、特定のタイミングで実行されても良い。具体的には、携帯端末１００において、決済アプリケーションが起動したことを契機として実行されても良いし、所定日時毎、所定期間毎において実行されても良い。
【００７２】
総括決済サーバ１０のアラート通知モジュール２３は、第一電子マネーサーバ５０にポイント残高の取得要求を送信する（ステップＳ５０）。なお、本実施形態におけるポイント残高とは、電子マネーを使用した際に、対応する電子マネーの決済額に応じて、ユーザに付与されるポイントを示す。このポイントは、所定のポイント数により所望の商品やサービス等に交換することができる。本実施形態では、このポイントを電子マネーに交換することを例に説明する。また、このポイントは、第一電子マネーサーバ５０の第一貯蓄残高記憶モジュール５１０が記憶する。
【００７３】
第一電子マネーサーバ５０の送金受付モジュール４１０は、総括決済サーバ１０から送信されたポイント残高の取得要求を受信する。送金受付モジュール４１０は、第一電子マネーサーバ５０の第一貯蓄残高記憶モジュール５１０が記憶するポイント残高を総括決済サーバ１０に送信する（ステップＳ５１）。
【００７４】
総括決済サーバ１０のアラート通知モジュール２３は、第一電子マネーサーバ５０からポイント残高を受信する。総括決済サーバ１０の不足額算出モジュール３１は、受信したポイント残高が所定のポイント数に達しているか否かを判断する（ステップＳ５２）。ステップＳ５２において、不足額算出モジュール３１は、受信したポイント残高が所定のポイント数に達していないと判断した場合（ステップＳ５２  ＮＯ）、本処理を終了する。ステップＳ５２において、不足額算出モジュール３１は、受信したポイント残高が所定のポイント数に達していると判断した場合（ステップＳ５２  ＹＥＳ）、アラート通知モジュール２３は、ポイントを電子マネーに交換可能であることを示すポイント交換通知を生成し、携帯端末１００に送信する（ステップＳ５３）。
【００７５】
携帯端末１００のアプリケーションモジュール２００は、総括決済サーバ１０から送信されたポイント交換通知を受信する。携帯端末１００の通知表示モジュール３００は、受信したポイント交換通知を、図１０に示すポイント交換通知画面として、入出力部１３０に表示する（ステップＳ５４）。通知表示モジュール３００は、ポイント交換通知画面に、ユーザからの操作入力を受け付ける交換許可アイコン５６及び交換不許可アイコン５７を表示する。
【００７６】
次に、アプリケーションモジュール２００は、交換許可アイコン５６の操作が行われた否かを判断する（ステップＳ５５）。ステップＳ５５において、アプリケーションモジュール２００は、交換不許可アイコン５７の操作を受け付けた場合又は所定の時間内に操作が行われなかった場合、ポイント交換処理が行われなかったと判断し（ステップＳ５５  ＮＯ）、本処理を終了する。ステップＳ５５において、アプリケーションモジュール２００は、交換許可アイコン５６の操作を受け付けたと判断した場合（ステップＳ５５  ＹＥＳ）、総括決済サーバ１０に交換要求を送信する（ステップＳ５６）。
【００７７】
総括決済サーバ１０の送金モジュール２１は、携帯端末１００から送信された交換要求を受信し、第一電子マネーサーバ５０に、ポイント交換処理依頼を送信する（ステップＳ５７）。
【００７８】
第一電子マネーサーバ５０の送金受付モジュール４１０は、総括決済サーバ１０から送金されたポイント交換処理依頼を受信し、第一貯蓄残高記憶モジュール５１０が記憶するポイント残高から、指定されたポイント数を減算し、このポイント数に対応する電子マネーの金額を第一貯蓄残高に合算し、第一貯蓄残高の金額を更新する（ステップＳ５８）。なお、ステップＳ５８において総括決済サーバ１０の送金モジュール２１が送信するポイント数は、ポイント交換通知画面に表示した所定ポイント数である。また、携帯端末１００の通知表示モジュール３００は、ポイント交換通知画面に交換するポイント数を指定する画面を表示しても良い。この場合、指定されたポイント数を総括決済サーバ１０は、第一電子マネーサーバ５０に送信すれば良い。以上が、総括決済サーバ１０、第一電子マネーサーバ５０及び携帯端末１００が実行するポイント交換処理である。
【００７９】
なお、上述したポイント交換処理は、第一電子マネーサーバ５０に対してのみでなく、第二電子マネーサーバ６０に対して実行しても良い。また、第三電子マネーサーバ、第四電子マネーサーバ等を追加した場合、追加した電子マネーサーバに対しても実行しても良い。
【００８０】
また、上述した実施形態では、第一電子マネーサーバ５０のポイントを、第一電子マネーサーバ５０に電子マネーとして交換し合算したが、第一電子マネーサーバ５０のポイントを、第二電子マネーサーバ６０に電子マネーとして交換し、合算しても良い。この場合、総括決済サーバ１０に第一電子マネーサーバ５０のポイントを第一電子マネーサーバ５０に対応する電子マネーとして交換し、第一電子マネーサーバ５０から総括管理サーバ１０にこの金額を送信する。総括決済サーバ１０は、受信した金額を第二電子マネーサーバ６０に送信する。この結果、第一電子マネーサーバ５０のポイント数は減少し、第二電子マネーサーバ６０の第二貯蓄残高は、第一電子マネーサーバ５０の減少したポイント数に対応した電子マネーの額が合算され、増加する。また、第三電子マネーサーバ、第四電子マネーサーバ等を追加した場合、同様に、他の電子マネーサーバから電子マネーが送金されて良い。また、複数の電子マネーサーバのうち、最も貯蓄残高が高いもののポイントを電子マネーに交換し、最も貯蓄残高が低い電子マネーサーバに対して送金しても良い。また、複数の電子マネーサーバのうち、最もポイント残高の多い電子マネーサーバのポイントを電子マネーに交換し、他の電子マネーサーバに送金しても良い。
【００８１】
また、ポイント交換処理に際して、携帯端末１００の通知表示モジュール３００は、ポイント数の指定を受け付け、総括決済サーバ１０は、指定されたポイントに対応する金額を対象とする電子マネーサーバに、通知し、通知された電子マネーサーバは、指定されたポイントを減算し、貯蓄残高にこのポイント数に対応する金額を合算し、貯蓄残高を更新しても良い。
【００８２】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００８３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８４】
１０  総括決済サーバ、１００  携帯端末、５０  第一電子マネーサーバ、６０  第二電子マネーサーバ
【図１】
0006374818.tif 000002
【図２】
0006374818.tif 000003
【図３】
0006374818.tif 000004
【図４】
0006374818.tif 000005
【図５】
0006374818.tif 000006
【図６】
0006374818.tif 000007
【図７】
0006374818.tif 000008
【図８】
0006374818.tif 000009
【図９】
0006374818.tif 000010
【図１０】
0006374818.tif 000011